(57)【特許請求の範囲】
【請求項１】
天板と、一対の側方側板と、背面側板と、底板とを有する筺体と、
筺体の天板上に設けられたＰＣと、
筺体内に上下方向に収納された少なくとも一対のプリンタと、
筺体の前面側に設けられた前面扉と、
前面扉の裏面に設けられ、各プリンタからの写真画像印刷物を排出する排出部とを備え、
排出部は各プリンタからの写真画像印刷物が投入される投入口と、各投入口に連通するとともに各プリンタからの写真画像印刷物を下方へ排出する排出路と、排出路の下端部に設けられた集積部とを含む排出部本体からなり、
排出部本体に、排出路を上方のプリンタ用の第１排出路と、下方のプリンタ用の第２排出路に区画し、かつ写真画像印刷物を案内する案内板を取外自在に設けたことを特徴とする写真画像プリントシステム。
【請求項２】
排出部本体に、案内板を差し込む差込口が複数箇所に設けられ、案内板を所望箇所の差込口に差し込むことにより、第１排出路と第２排出路との間の境界を変化させることを特徴とする請求項１記載の写真画像プリントシステム。
【請求項３】
排出部本体に、第１排出路または第２排出路の形状を定める追加案内板を設けたことを特徴とする請求項１または２のいずれか記載の写真画像プリントシステム。
【請求項４】
排出部本体に、追加案内板を差し込む追加差込口が複数箇所に設けられ、追加案内板を所望箇所の追加差込口に差し込むことにより、第１排出路または第２排出路の形状を変化させることを特徴とする請求項３記載の写真画像プリントシステム。
【発明の詳細な説明】
【技術分野】
【０００１】
本発明は写真画像プリントシステムに係り、とりわけ写真画像印刷物の形状に応じて排出路の形状を変化させることができる写真画像プリントシステムに関する。
【背景技術】
【０００２】
従来より写真画像プリントシステムとして、天板と、背面側板と、一対の側方側板と、底板とを有する筐体と、筐体の天板上に配置され、デジタルメディア挿入口を有するパーソナルコンピューター（ＰＣ）本体と、ディスプレイとを有するＰＣと、筐体内に収納されたプリンタおよび課金システムとを備えたものが知られている。
【０００３】
使用にあたって操作者は、ＰＣ本体のデジタルメディア挿入口に必要な画像情報を格納したデジタルメディア、例えばＳＤ（secure digital）カード、ＣＤ−ＲＯＭ等を挿入し、ディスプレイ上で必要な情報を入力する。
【０００４】
その後、操作者は課金システムに接続された筐体の前扉側から料金を支払う。操作者が料金を支払った後、プリンタが写真画像をプリントして写真画像印刷物を作成し、この写真画像印刷物は排出部を経て前面扉側から排出される。
【０００５】
このような場合、写真画像印刷物の形状に応じて排出部の形状を変更することができれば、写真画像印刷物を安定して排出することができて都合が良い。
【先行技術文献】
【特許文献】
【０００６】
【特許文献１】特開２００５−１１１８９３号公報
【特許文献２】特開２００６−    １６９４号公報
【発明の概要】
【発明が解決しようとする課題】
【０００７】
本発明はこのような点を考慮してなされたものであり、写真画像印刷物の形状に応じて排出部の排出路の形状を容易かつ簡単に変更することができる写真画像プリントシステムを提供することを目的とする。
【課題を解決するための手段】
【０００８】
本発明は、天板と、一対の側方側板と、背面側板と、底板とを有する筺体と、筺体の天板上に設けられたＰＣと、筺体内に上下方向に収納された少なくとも一対のプリンタと、筺体の前面側に設けられた前面扉と、前面扉の裏面に設けられ、各プリンタからの写真画像印刷物を排出する排出部とを備え、排出部は各プリンタからの写真画像印刷物が投入される投入口と、各投入口に連通するとともに各プリンタからの写真画像印刷物を下方へ排出する排出路と、排出路の下端部に設けられた集積部とを含む排出部本体からなり、排出部本体に、排出路を上方のプリンタ用の第１排出路と、下方のプリンタ用の第２排出路に区画し、かつ写真画像印刷物を案内する案内板を取外自在に設けたことを特徴とする写真画像プリントシステムである。
【０００９】
本発明は、排出部本体に、案内板を差し込む差込口が複数箇所に設けられ、案内板を所望箇所の差込口に差し込むことにより、第１排出路と第２排出路との間の境界を変化させることを特徴とする写真画像プリントシステムである。
【００１０】
本発明は、排出部本体に、第１排出路または第２排出路の形状を定める追加案内板を設けたことを特徴とする写真画像プリントシステムである。
【００１１】
本発明は、排出部本体に、追加案内板を差し込む追加差込口が複数箇所に設けられ、追加案内板を所望箇所の追加差込口に差し込むことにより、第１排出路または第２排出路の形状を変化させることを特徴とする写真画像プリントシステムである。
【発明の効果】
【００１２】
以上のように本発明によれば、写真画像印刷物の形状に応じて排出部の排出路の形状を容易かつ簡単に変更することができる。
【図面の簡単な説明】
【００１３】
【図１】図１は本発明による写真画像プリントシステムを前方側からみた概略斜視図。
【図２】図２は写真画像プリントシステムの操作テーブルの作用を示す図であって、便宜上スライドレールを取除いた状態を示す図。
【図３】図３は写真画像プリントシステムを後方側からみた概略斜視図。
【図４】図４は横方向に配置された複数台の写真画像プリントシステムを示す図。
【図５】図５は便宜上操作テーブルとＰＣ囲い体を取外した場合において、プリンタ側の第１前面扉を開いた状態を示す写真画像プリントシステムを示す図。
【図６】図６は便宜上載置台を取外した場合において、課金システム側の第２前面扉を開いた状態を示す写真画像プリントシステムを示す図。
【図７】図７は便宜上後方覆い板を取外した場合において、ＰＣ囲い体の内部を後方側からみた図。
【図８】図８はＰＣ本体の構成を示すブロック図。
【図９】図９（ａ）（ｂ）（ｃ）（ｄ）は排出部の排出部本体を示す図。
【図１０】図１０は案内板を差込口に差し込む状態を示す図。
【発明を実施するための形態】
【００１４】
以下、図面を参照して本発明による写真画像プリントシステムについて説明する。
【００１５】
図１乃至図１０は本発明による写真画像プリントシステムの一実施の形態を示す図である。
【００１６】
ここで図１は写真画像プリントシステムを前方側からみた概略斜視図であり、図２は写真画像プリントシステムの操作テーブルの作用を示す図であって、便宜上スライドレールを取除いた状態を示す図であり、図３は写真画像プリントシステムを後方側からみた概略斜視図であり、図４は横方向に配置された複数台の写真画像プリントシステムを示す図であり、図５は便宜上操作テーブルを取外した場合において、プリンタ側の第１前面扉を開いた状態を示す写真画像プリントシステムを示す図であり、図６は便宜上平板台を取外した場合において、課金システム側の第２前面扉を開いた状態を示す写真画像プリントシステムを示す図であり、図７は便宜上後方覆い板を取外した場合において、ＰＣ囲い体の内部を後方側からみた図であり、図８はＰＣ本体の構成を示すブロック図、図９（ａ）（ｂ）（ｃ）（ｄ）は排出部の排出部本体を示す図、図１０は案内板を差込口に差し込む状態を示す図である。
【００１７】
図１乃至図５に示すように、本発明による写真画像プリントシステムは、天板（固定台ともいう）１１ａと、一対の側方側板１１ｂ，１１ｂと、背面側板１１ｃと、底板１１ｄとを有する筐体１１と、筐体１１の天板１１ａ上であって左右方向の一側（図５の左側）５０ａの後方に配置されたパーソナルコンピューター（ＰＣ）２０と、筐体１１内に収納された２台のプリンタ２ａ，２ｂおよび課金システム８とを備えている。
【００１８】
このうち筐体１１は上述のように天板（固定台）１１ａと、一対の側方側板１１ｂ，１１ｂと、背面側板１１ｃと底板１１ｄとを有し、筐体１１には筐体１１内をプリンタ２ａ，２ｂを収納するプリンタ収納領域６ａと、課金システム８を収納する課金システム収納領域６ｂとに区画する仕切板７が設けられている。
【００１９】
そして筐体１１の天板１１ａ上の一側５０ａは、プリンタ収納領域６ａに対応している。また筐体１１の天板１１ａ上の他側（図５の右側）５０ｂは、課金システム収納領域６ｂに対応し、上述のように２台のプリンタ２ａ，２ｂは上下方向に配置されてプリンタ収納領域６ａ内に収納され、課金システム８は課金システム収納領域６ｂ内に収納されている。
【００２０】
またＰＣ２０は、後述する画像情報が格納されたＳＤカード、ＣＤ−ＲＯＭ等のデジタルメディア２１Ｄが挿入されるデジタルメディア挿入口２１ａを有するＰＣ本体２１と、ＰＣ本体２１上に載置されたディスプレイ２２とを有している。
【００２１】
次にＰＣ本体２１内の構成について、図８により説明する。図８はＰＣ本体２１内の構成を示すブロック図である。
【００２２】
図８に示すようにＰＣ本体２１は、画像データ読込書込手段２１Ａと、画像編集合成手段２１Ｂと、素材データベース２１Ｃとを備え、ＰＣ本体２１に、ディスプレイ２２、プリンタ２ａ，２ｂおよび課金システム８が接続されている。
【００２３】
画像データ読込書込手段２１Ａは、予め画像データが記録されたデジタルメディア２１Ｄから読み取ることにより、画像データを取得する。また、画像データ読込書込手段２１Ａは、ＰＣ本体２１が作成した画像データをデジタルメディア２１Ｄに記録することもできる。
【００２４】
デジタルメディア２１Ｄは、例えば、ＳＤ（secure digital）カード、スマートメディア、コンパクトフラッシュ（登録商標）カード、フレキシブルディスク、ＰＣ（Personal Computer）カード、ＣＤ−ＲＯＭ（Compact Disc-Read Only Memory）等である。
【００２５】
画像編集合成手段２１Ｂは、一つ以上の画像データに対して、落書き、スタンプのような加工、画像データの切抜き、変倍、切り抜いた画像の他の画像への貼り付け等、合成編集等を対話的に行う対話型インタフェース手段と画像処理プログラムで構成される。加工や合成編集に扱う画像データとしては、素材データベース２１Ｃに存在する素材画像データ、フレーム画像データ等を用いることもできる。
【００２６】
ところでＰＣ本体２１に接続されたプリンタ２ａ，２ｂは、高解像度カラープリンタである。昇華型あるいはインクジェット型などの方式は問わない。またプリンタ２ａ，２ｂは上下方向に２台設けられているが、上下方向にプリンタを３台あるいは４台設けてもよい。
【００２７】
また操作者はディスプレイ２２の画面２２ａに表示された内容から、ＰＣ本体２１に出力すべき注文内容を必要に応じて選択する。選択項目としては、モードの選択（実画像データの通常の出力を行うのか、シールプリントを行うのか、ＣＤ−Ｒ等の記録メディアへの書き込みを行うのか、等の指定）、さらに、実画像データの通常の出力等の場合には、複数コマ分の画像データを入力した場合、どの画像をプリントするのかの指定、プリント枚数やプリントサイズの指定等がある。なお、利用者は画像を出力する前に、一つ以上の画像データを指定して加工および合成編集することができる。
【００２８】
ところでこのような構成からなるＰＣ２０は、天板１１ａの一側５０ａの後方に配置され、天板１１ａの一側５０ａの前方には操作用テーブル１５が前後方向に移動自在に配置されている。
【００２９】
この操作用テーブル１５は操作者が写真画像プリントシステム１０のディスプレイ２２を操作する際、操作者の前方に位置して、操作者が操作中に腕、手等を載置することができる。
【００３０】
また操作用テーブル１５は操作用テーブル本体１５ａと、ＰＣ本体２１のデジタルメディア挿入口２１ａに対応する開口１５ｃを有する操作用垂直板１５ｂとを有し、天板１１ａの一側５０ａ上に設けられたスライドレール１５ｄに沿って前後方向に移動することができる。また操作用テーブル１５に、デジタルメディア操作時の悪影響を除くために、静電気防止シートを貼付してもよい。
【００３１】
また天板１１ａの左右方向の他側５０ｂには、平板状の載置台１６が設けられている。この載置台１６には操作者が操作中に手荷物等を載置することができる。
【００３２】
また載置台１６は平板状のものに限られることはなく、表面にエンボスが付された台であってもよく、水平面に対して傾斜している台であってもよく、さらに表面が湾曲している台であってもよい。
【００３３】
すなわち、従来の写真画像プリントシステムでは、ＰＣが筐体の天板左右方向中央部に載置されているため、操作者は手荷物等を足元の床面上におくことになるが、本発明によれば、ＰＣ２０が天板１１ａの一側５０ａ上に設けられ、天板１１ａの他側５０ｂに載置台１６が設けられているため、操作者は手荷物等を載置台１６上に載置することができる。このように操作者は手荷物等を載置台１６上に載置することができるので、操作者にとって写真画像プリントシステムの操作性が向上する。
【００３４】
ところで、筐体１１は全体として鋼製となっており、天板１１ａの他側５０ｂには貫通口３３が設けられている（図６参照）。そして木製の載置台１６を天板１１ａの他側５０上に配置することにより、筐体１１の課金システム収納空間６ｂ側に、無線ＬＡＮ（local area network）の送受信機（図示せず）を配置することができる。この場合、筐体１１の天板１１ａに設けられた貫通口３３によって無線ＬＡＮの送受信機の通信経路が形成される。
【００３５】
なお、天板１１ａの一側５０ａに設けられた操作用テーブル１５の高さは、天板１１ａの他側５０ｂに設けられた載置台１６の高さより高くなっている。このため操作者は載置台１６を操作用テーブル１５から明瞭に区別することができ、当該載置台１６上に間違いなく手荷物等を載置することができる。
【００３６】
また載置台１６の前方側にはカサ立て用の凹部１７が形成され、この凹部１７内にスポンジ材１７ａが挿着されている。操作者はこのカサ立て用の凹部１７内にカサの把持部を引掛けることができる。このとき凹部１７内のスポンジ材１７ａはカサの把持部により押圧されて、凹部１７内へ引込む。このようにカサの把持部を凹部１７内に引掛けることにより、カサが載置台１６からずり落ちることはない。
【００３７】
他方、操作者がカサ立て用の凹部１７を使用しない場合、スポンジ材１７ａは元の形に戻って凹部１７内を埋めるので、凹部１７内にゴミ等が混入することはない。
【００３８】
ところで、図３および図７に示すように、筐体１１の天板１１ａ上に配置されたＰＣ２０を覆ってＰＣ囲い体２５が設けられている。ＰＣ囲い体２５は後方側開口を有する囲い体本体２５ｂと、囲い体本体２５ｂの後方側開口を覆う後方覆い板２５ａとを有し、天板１１ａ上に固定されている。
【００３９】
また図３および図７に示すように、ＰＣ２０のディスプレイ２２上に、ディスプレイ２２を覆ってディスプレイ覆い板２６が設けられており、ディスプレイ２２側のディスプレイ覆い板２６と、ＰＣ囲い体２５側の後方覆い板２５ａとによって、ディスプレイ２２を覆ってディスプレイ２２にゴミあるいはほこりが付着することを防ぐことができる。またディスプレイ覆い板２６によって室内の蛍光灯からの光の映り込みを防ぎ、ディスプレイ２２中の画像をより良くみることができる。
【００４０】
ここで図７はＰＣ囲い体２５の内部を後方側からみた図であって、便宜上後方覆い板２５ａを取り外した状態を示す図である。
【００４１】
図７に示すように、ＰＣ２０のディスプレイ２２の背面にディスプレイ側固定板４５が設けられており、かつ天板１１ａに固定されたＰＣ囲い体２５側に天板側固定板（固定台側固定板）４４が設けられている。
【００４２】
そしてディスプレイ側固定板４５と、天板側固定板（固定台側固定板）４４との間が連結機構４６により連結されており、ディスプレイ側固定板４５と、天板側固定板４４と、連結機構４６とによって、ディスプレイ保持機構４２が構成されている。
【００４３】
すなわちＰＣ２０のうち、デジタルメディア挿入口２１ａを有するＰＣ本体２１は天板１１ａ上に配置されており、ディスプレイ２２はＰＣ本体２１上に、ＰＣ本体２１に対して揺動自在に設けられている。
【００４４】
そしてＰＣ本体２１に対してディスプレイ２２を上下方向に揺動させ、その後図７に示す連結機構４６および天板側固定板４４を、ＰＣ囲い体２５に対して摺動させて、連結機構４６および天板側固定板４４をＰＣ囲い体２５に固定する。例えば室内の外光からの反射等を考慮してディスプレイ２２の揺動角度を調整した後、天板側固定板４４の溝４４ａ内に設けられた固定ネジ４６ａをＰＣ囲い体２５に締付けて、連結機構４６および天板側固定板４４を固定する。このことにより、室内の照明状況に応じてディスプレイ２２の設置角度を所望の値に定めることができる。
【００４５】
また、ディスプレイ保持機構４２のディスプレイ側固定板４５に、ディスプレイ２２の両側に位置する一対の遮へい板４３，４３が設けられている。
【００４６】
すなわち、各遮へい板４３，４３は、ディスプレイ側固定板４５に揺動レバー４８を介して前後方向に揺動可能に取付けられている（図７参照）。
【００４７】
例えば、操作者がディスプレイ２２の画面２２ａに対する操作内容を他人に見られたくない場合、他人側にある遮へい板４３を前方に揺動させる。このことにより、ディスプレイ２２の画面２２ａに対する操作内容を他人に見られることなく操作することができる。
【００４８】
他方、操作者が複数いて、複数の操作者がディスプレイ２２の画面２２ａに対して操作する場合、複数の操作者間の遮へい板４３を後方に揺動させることにより、複数の操作者が互いに話し合いながら同時にディスプレイ２２の画面２２ａに対する操作を行うことができる。なお、各遮へい板４３，４３は、一方のみを揺動させて用いることもできる。
【００４９】
上記各構成部材のうち、筐体１１の天板（固定台ともいう）１１ａと、天板１１ａ上に配置されＰＣ本体２１とディスプレイ２２とを有するＰＣ２０と、天板１１ａ上に固定されてＰＣ２０を囲むＰＣ囲い体２５と、ディスプレイ側固定板４５と天板側固定板４４と連結機構４６とを有するディスプレイ保持機構４２とにより、写真画像プリントシステム用のＰＣ組立体が構成されている。このような構成からなるＰＣ組立体を筐体１１から独立した載置テーブル（図示せず）上に載置してもよい。
【００５０】
ところで、図１、図５および図６に示すように、筐体１１の前面側には、プリンタ収納領域６ａ側に位置する第１前面扉１２ａと、課金システム収納領域６ｂ側に位置する第２前面扉１２ｂとが開閉自在に設けられている。
【００５１】
これら第１前面扉１２ａと第２前面扉１２ｂは観音開き構造をもち、いずれも筐体１１の前面側に配置されている。
【００５２】
また第１前面扉１２ａの前面には、透明な開閉扉１２ｃが開閉自在に設けられている。さらに第１前面扉１２ａの裏面には、２台のプリンタ２ａ，２ｂによりプリントされた写真画像印刷物Ｐを排出する排出部３が設けられている。この排出部３は上方のプリンタ２ａからの写真画像印刷物Ｐが投入される上方投入口３ａと、下方のプリンタ２ｂからの写真画像印刷物が投入される下方投入口３ｂとを有し、排出部３内には後述のように、上方投入口３ａと下方投入口３ｂに連通する排出路６０Ａが形成され、排出路６０Ａの下端部には、写真画像印刷物Ｐが集積される集積部３ｃが設けられている。
【００５３】
次に図９（ａ）（ｂ）（ｃ）および図１０により、第１前面扉１２ａの裏面に設けられ写真画像印刷物Ｐを排出する排出部３について以下詳述する。
【００５４】
図９（ａ）（ｂ）（ｃ）および図１０に示すように、排出部３は少なくとも一対の側面６０ａ，６０ｂを有する筺体状の排出部本体６０からなり、上方投入口３ａは排出部本体６０の上部に上方のプリンタ２ａに向って設けられ、下方投入口３ｂは排出部本体６０の下方に下方のプリンタ２ｂに向って設けられている。
【００５５】
排出部本体６０内には、上方投入口３ａおよび下方投入口３ｂに連通するとともに、写真画像印刷物Ｐを下方へ排出する排出路６０Ａが形成され、排出路６０Ａの下端部に写真画像印刷物Ｐが集積される集積部３ｃが設けられている。
【００５６】
また排出部本体６０に、排出路６０Ａ内を上方のプリンタ２ａ用の第１排出路６８ａと、下方のプリンタ２ｂ用の第２排出路６８ｂとに区画するとともに、写真印刷物Ｐを案内する案内板６１が設けられ、さらに排出部本体６０に第１排出路６８ａと第２排出路６８ｂの経路を定める追加案内板６２ａ，６２ｂ，６２ｃが設けられている。
【００５７】
ところで、排出部本体６０に設けられた案内板６１および追加案内板６２ａ，６２ｂ，６２ｃは、いずれもその設置位置を変更することができるようになっている。
【００５８】
すなわち、排出部本体６０には、複数箇所に差込口あるいは追加差込口６５および６７が形成されており、案内板６１および追加案内板６２ａ，６２ｂ，６２ｃを、これら複数箇所の差込口あるいは追加差込口６５，６７のうち、所望箇所の差込口６５，６７内に差し込むことにより、案内板６１および追加案内板６２ａ，６２ｂ，６２ｃの設置位置を変更することができる。これによって、写真画像印刷物Ｐの形状に合わせて、第１排出部６８ａと第２排出部６８ｂの経路および形状を変化させることができ、プリンタ２ａ、２ｂから排出される写真画像印刷物Ｐをスムーズに下方へ案内して集積部３Ｃに確実に導くことができる。
【００５９】
図１０により案内板６１と、案内板６１が差し込まれる差込口６５，６７について説明するが、追加案内板６２ａ，６２ｂ，６２ｃおよび追加差込口６５，６７も、案内板６１および差込口６５，６７と同様の構造をもっている。
【００６０】
すなわち、図１０に示すように、排出部本体６０の一方の側面６０ａに差込口６５が設けられ、他方の側面６０ｂに一対の差込口６７が設けられている。そして他方の側面６０ｂのうち一対の差込口６７間には、壁面の部分６７ａが形成されている。
【００６１】
案内板６１は一側にＬ字状に折曲げられた折曲片６１Ａを有し、他側に一対の差込片６１Ｂと溝部６１Ｃを有している。そして、案内板６１を一方の側面６０ａの差込口６５側から差し込み、案内板６１の他側に設けられた一対の差込片６１Ｂを他方の側面６０ｂの一対の差込口６７内に差し込む。この場合、案内板６１の溝部６１Ｃが他方の側面６０ｂの壁面の部分６７ａに当接し、かつ案内板６１の折曲片６１Ａが一方の側面６０ａの外面に引掛かり、このようにして案内板６１が排出部本体６０に固定される。
【００６２】
なお、排出部本体６０の一方の側面６０ａには複数箇所に差込口６５が設けられ、他方の側面６０ｂにも差込口６５に対応して複数箇所に一対の差込口６７が設けられている。
【００６３】
このため、案内板６１を所望箇所の差込口６５，６７，６７に差し込むことにより、排出部本体６０内において案内板６１の設置位置を種々変更することができ、このことにより、第１排出路６８ａと第２排出路６８ｂとの境界を所望に応じて種々変更することができる。
【００６４】
同様に、排出部本体６０の一方の側面６０ａおよび他方の側面６０ｂには、追加案内板６２ａ，６２ｂ，６２ｃ用の差込口６５、差込口６７，６７が複数箇所に設けられており、排出部本体６０内において追加案内板６２ａ，６２ｂ，６２ｃの設置位置を種々変更することができる。このことにより所望に応じて第１排出路６８ａおよび第２排出路６８ｂの経路および形状を変更することができる。
【００６５】
ところでプリンタ収納領域６ａに対応する第１前面扉１２ａは、課金システム収納領域６ｂに対応する第２前面扉１２ｂより前方に位置している。
【００６６】
次に第１前面扉１２ａおよび第２前面扉１２ｂについて、図５および図６により詳述する。
【００６７】
図５に示すように、筐体１１の一方の（左側の）側方側板１１ｂは天板１１ａより前方に突出する前方突出部３７を有し、この前方突出部３７にヒンジ部３８を介して第１前面扉１２ａが開閉自在に取付けられている。そして天板１１ａの前方左側には開口３９が形成され、第１前面扉１２ａ上には閉時において天板１１ａの開口３９内に入り込む突片４０が設けられている。
【００６８】
また図６に示すように、筐体１１の他方の（右側の）側方側板１１ｂは、天板１１ａの前面と前後方向の同一位置にある取付部３１を有し、この取付部３１にヒンジ部３２を介して第２前面扉１２ｂが開閉自在に取付けられている。そして天板１１ａの前方右側には開口３４が形成され、第２前面扉１２ｂ上には閉時において天板１１ａの開口３４内に入り込む突片３５が設けられている。
【００６９】
また第２前面扉１２ｂには、コイン投入口１８ａ、お札投入口１８ｂおよびつり銭返却口１８ｃが各々設けられている。
【００７０】
このように筐体１１のプリンタ収納領域６ａに対応する第１前面扉１２ａが課金システム収納領域６ｂに対応する第２前面扉１２ｂより前方に位置しているため、一の写真画像プリントシステム１０の第１前面扉１２ａを開いた場合に隣接する写真画像プリントシステム１０の第２前面扉１２ｂに干渉することはない。
【００７１】
すなわち、使用にあたって複数の写真画像プリントシステム１０を横方向に並べて配置することがあり、この場合隣り合う写真画像プリントシステム１０間の間隔を狭くして全体の設置スペースを小さくしている（図４参照）。
【００７２】
この場合、各写真画像プリントシステム１０の第１前面扉１２ａと第２前面扉１２ｂの前方位置が一致していると、ある写真画像プリントシステム１０の第１前面扉１２ａを開いた場合、当該第１前面扉１２ａが隣接する写真画像プリントシステム１０の第２前面扉１２ｂに干渉することも考えられる。
【００７３】
これに対して本発明によれば、第１前面扉１２ａを第２前面扉１２ｂより前方に配置することにより、ある写真画像プリントシステム１０の第１前面扉１２ａを開いた場合であっても、当該第１前面扉１２ａが隣接する写真画像プリントシステム１０の第２前面扉１２ｂと干渉することはない。
【００７４】
次にこのような構成からなる本実施の形態の作用について説明する。
【００７５】
まず、図９（ａ）（ｂ）（ｃ）（ｄ）および図１０に示すように、案内板６１および追加案内板６２ａ，６２ｂ，６２ｃの設置位置を変更して排出部本体６０内の第１排出路６８ａと第２排出路６８ｂの経路および形状を定める。
【００７６】
この場合、写真画像印刷物Ｐが小さいサイズをもつとき、案内板６１と追加案内板６２ａ，６２ｂ，６２ｃとによって形成される第１排出路６８ａと第２排出路６８ｂの形状を小さく抑える（図９（ａ）参照）。
【００７７】
一方、写真画像印刷物Ｐが大きなサイズをもつとき、案内板６１と追加案内板６２ａ，６２ｂ，６２ｃとによって形成される第１排出路６８ａと第２排出路６８ｂの形状を大きくする（図９（ｃ）参照）。
【００７８】
そして写真画像印刷物Ｐの形状が中程度の場合、案内板６１と追加案内板６２ａ，６２ｂ，６２ｃとによって形成される第１排出路６８ａと第２排出路６８ｂの形状を中程度とする（図９（ｂ）参照）。
【００７９】
ここで、図９（ｄ）は、便宜上すべての差込口６５，６７，６７に、案内板６１と追加案内板６２ａ，６２ｂ，６２ｃを差し込んだ状態を示している。
【００８０】
なお、図９（ａ）（ｂ）（ｃ）（ｄ）において、第１排出路６８ａと第２排出路６８ｂの双方の経路および形状を定めるために、排出部本体６０に追加案内板６２ａ，６２ｂ，６２ｃを設置した例を示したが、第１排出路６８ａまたは第２排出路６８ｂのいずれか一方の経路および形状を定めるために追加案内板６２ａ，６２ｂ，６２ｃを設置してもよい。
【００８１】
このように案内板６１および追加案内板６２ａ，６２ｂ，６２ｃによって排出部本体６０の排出路６０Ａ内を上方のプリンタ２ａ用の第１排出路６８ａと、下方のプリンタ２ｂ用の第２排出路６８ｂとに区画するとともに、排出路６８Ａの下端部に集積部３Ｃを設けたので、上方のプリンタ２ａからの写真印刷物Ｐおよび下方のプリンタ２ｂからの写真印刷物Ｐを速やかに集積部３Ｃまで導いて、この集積部３Ｃにおいて写真印刷物Ｐを集積することができる。この場合、上方のプリンタ２ａからの写真印刷物Ｐと、下方のプリンタ２ｂからの写真印刷物Ｐは、反転したり回転することはなく、スムースに集積部３Ｃまで導かれる。
【００８２】
また上述のように写真画像印刷物Ｐの形状に合わせて第１排出路６８ａと第２排出路６８ｂの経路および形状を変化させることにより、プリンタ２ａ，２ｂから排出される写真画像印刷物Ｐをスムーズに下方へ案内して集積部３ｃに確実に案内することができる。また案内板６１および追加案内板６２ａ，６２ｂ，６２ｃは、差込口６５，６７，６７に差し込むだけで排出部本体６０に設置することができるので、第１排出路６８ａおよび第２排出路６８ｂの経路および形状を容易に変更することができる。
このような第１排出路６８ａおよび第２排出路６８ｂの経路および形状の変更作業は、主として店の従業者により予め実行される。
【００８３】
次に一般の顧客である操作者は図１に示す写真画像プリントシステム１０の前方に立って写真画像プリントシステム１０の操作を行う。このような操作に先立って操作者は、まず手荷物等を筐体１１の右側に位置する載置台１６上に載置する。また必要に応じて操作者はカサをカサ立て用の把持部を載置台１６の凹部１７内に引掛ける。
【００８４】
次に操作者は、ＰＣ２０のディスプレイ２２の画面２２ａに対して必要な操作を行う。この間画像情報が格納されたＳＤカード、ＣＤ−ＲＯＭ等のデジタルメディア２１Ｄを、ＰＣ本体２１に設けられたデジタルメディア挿入口２１ａ内に挿入するとともに、コイン投入口１８ａまたはお札投入口１８ｂから必要な料金を支払う。
【００８５】
操作者がディスプレイ２２の画面２２ａに対して必要な操作を行い、デジタルメディア２１Ｄをデジタルメディア挿入口２１ａ内に挿入し、かつ必要な料金を支払うことにより、ＰＣ２０のＰＣ本体２１が作動してプリンタ２ａ，２ｂを駆動制御する。このことによりプリンタ２ａ，２ｂによりプリントされた写真画像印刷物Ｐが得られ、この写真画像印刷物Ｐは第２前面扉１２に設けられた排出部３の下端部にある集積部３ｃ内に集積される。
【００８６】
操作者は次に第１前面扉１２ａに設けられた透明な開閉扉１２ｃを開くことにより、集積部３ｃ内に集積された写真画像印刷物Ｐを取り出すことができる。その後、ＰＣ本体２１から操作テーブル１５のレシート口１５ｅを介してレシートが排出される。
【００８７】
この間、操作者はディスプレイ２２の画面２２ａの操作にあたって、必要に応じて遮へい板４３を前後方向に揺動し、ディスプレイ２２の画面２２ａに対する操作内容を他人に見られたくない場合は、遮へい板４３を前方へ揺動する。
【００８８】
ＰＣ本体２１に内蔵されていたレシート巻体を交換する場合、写真画像プリントシステム１０が設置されている店の従業者がまず第１前面扉１２ａを開く。次に従業者は操作用テーブル１５を前方へ引出してＰＣ本体２１の前面を露出させ、このように前面が露出したＰＣ本体２１に、新しいレシート巻体を装着する。
【００８９】
このように本実施の形態によれば、筐体１１の天板１１ａが一側（図１の左側）５０ａと他側（図１の右側）５０ｂとに区画され、天板１１ａの一側５０ａの後方にＰＣ２０が配置されるとともに、天板１１ａの一側の前方に操作用テーブル１５が前後方向に移動自在に配置されている。
【００９０】
また筐体１１の天板１１ａの他側５０ｂに、操作用テーブル１５の高さより低い高さの載置台１６が設けられている。このように筐体１１の天板１１ａの左右方向一側にＰＣ２０および操作用テーブル１５を配置したので、天板１１ａの左右方向中央にＰＣを載置する場合に比べて、天板１１ａの他側に手荷物等を載置するための載置台１６を広いスペースをもって設置することができる。このため操作者は足元の床面上ではなく、広いスペースをもつ載置台１６上に手荷物等を載置した後、ディスプレイ２２の画面２２ａに対して操作を行うことができる。このため操作中に手荷物等が盗まれることはなく、安全にディスプレイ２２の画面２２ａに対して操作を行うことができる。
【００９１】
また、載置台１６の高さを操作用テーブル１５の高さより低くすることにより、載置台１６を操作用テーブル１５から明瞭に区別することができる。このため載置台１６上に間違いなく手荷物を載置することができるとともに、写真画像印刷プリントシステムの意匠性も向上させることができる。
【００９２】
なお、第１前面扉１２ａを例えば赤色に着色し、第２前面扉１２ｂを赤色と異なる、例えば白色に着色することにより、写真画像プリントシステムの幅が実際よりも小さくみえる。このため、写真画像プリントシステムを図４に示すように並べた場合であっても、見た目に圧迫感を与えることはなく、意匠性も向上する。
【００９３】
このように第１前面扉１２ａと、第２前面扉１２ｂとを設けることによって、プリンタ２ａ，２ｂの部品を交換する場合は、店の従業者が第１前面扉１２ａ用のキーを用いて赤色の第１前面扉１２ａを開いてプリンタ２ａ，２ｂの部品を交換することができる。
【００９４】
他方、課金システム８中の現金を処理する場合は、店の管理者が第２前面扉１２ｂ用のキーを用いて白色の第２前面扉１２ｂを開いて課金システム８の現金を処理することができる。
【００９５】
このように第１前面扉１２ａと、第２前面扉１２ｂとを設けることにより、第１前面扉１２ａは店の従業者により取扱われ、第２前面扉１２ｂは店の管理者により取扱われるようにすることができ、第１前面扉を扱う担当者と第２前面扉を扱う担当者を明確に区別することができる。
【００９６】
また上述のように、第１前面扉１２ａが第２前面扉１２ｂより前方に配置されているため、白色の第２前面扉１２ｂを赤色の第１前面扉１２ａに比べて実際よりもかなり小さく見せることができ、第１前面扉１２ａと第２前面扉１２ｂをより明確に区別することができる。
【符号の説明】
【００９７】
２ａ，２ｂ  プリンタ
３  排出部
６ａ  プリンタ収納領域
６ｂ  課金システム収納領域
７  仕切板
８  課金システム
１０  写真画像プリントシステム
１１  筐体
１１ａ  天板
１１ｂ  側方側板
１１ｃ  背面側板
１１ｄ  底板
１２ａ  第１前面扉
１２ｂ  第２前面扉
１５  操作テーブル
１５ａ  操作テーブル本体
１５ｂ  操作用垂直板
１５ｃ  開口
１５ｄ  スライドレール
１６  載置台
１７  凹部
１７ａ  スポンジ材
２０  ＰＣ
２１  ＰＣ本体
２１ａ  デジタルメディア挿入口
２２  ディスプレイ
２２ａ  画面
２５  ＰＣ囲い体
２５ａ  後方覆い板
２５ｂ  囲い体本体
２６  ディスプレイ覆い体
４２  ディスプレイ保持機構
４３  遮へい板
４４  天板側固定板
４５  ディスプレイ側固定板
４６  連結機構
６０  排出部本体
６０Ａ  排出路
６１  案内板
６２ａ，６２ｂ，６２ｃ  追加案内板
６２，６７，６７  差込口
【図１】
0005477716.tif 000002
【図２】
0005477716.tif 000003
【図３】
0005477716.tif 000004
【図４】
0005477716.tif 000005
【図５】
0005477716.tif 000006
【図６】
0005477716.tif 000007
【図７】
0005477716.tif 000008
【図８】
0005477716.tif 000009
【図９】
0005477716.tif 000010
【図１０】
0005477716.tif 000011